(57)【要約】【課題】  患者の身長方向に離れた二部位へ個別に要求されるマッサージに対してこれに対応した好適なマッサージをそれぞれの部位へ施すことができる水圧マッサージ機を提供すること。【解決手段】  患者が乗って用いるウォーターベッド式の水圧マッサージ機（１）において、ベッド本体（２）内に、高位ノズル（３）が載設される高台車（４）と、低位ノズル（６）が載設される低台車（７）とが設けられ、高位ノズル（３）は低位ノズル（６）より高位に位置し、低台車（７）は高台車（４）の下部空間（５）を潜って該高台車（４）を通過でき、前記高・低台車（４）・（７）はベッド本体（２）の長手方向の全長に亘って移動できるものであり、前記高・低位ノズル（３）・（６）は、ベッド本体（２）に乗った患者の身長方向に存在する複数患部に異なる水圧マッサージを付与する二段式水圧マッサージ機である。【選択図】図１
2006247006.tif 000002
【特許請求の範囲】
【請求項１】
患者が乗って用いるウォーターベッド式の水圧マッサージ機（１）において、ベッド本体（２）内に、高位ノズル（３）が載設される高台車（４）と、低位ノズル（６）が載設される低台車（７）とが設けられ、高位ノズル（３）は低位ノズル（６）より高位に位置し、低台車（７）は高台車（４）の下部空間（５）を潜って該高台車（４）を通過でき、前記高・低台車（４）・（７）はベッド本体（２）の長手方向の全長に亘って移動できるものであり、
前記高・低位ノズル（３）・（６）は、ベッド本体（２）に乗った患者の身長方向に存在する複数患部に異なる水圧マッサージを付与する二段式水圧マッサージ機。
【請求項２】
ベッド本体（２）に、該ベッド本体（２）に収容された水を取水し加圧する大・小ポンプ（９ａ）・（９ｂ）が設けられ、
高位ノズル（３）には小ポンプ（９ｂ）が連通され、低位ノズル（６）には大ポンプ（９ａ）が連通され、
高位ノズル（３）の噴出圧より低位ノズル（６）の噴出圧が大きいことを特徴とする請求項１記載の二段式水圧マッサージ機。
【請求項３】
高・低台車（４）・（７）のそれぞれは高・低移動ネジ軸（１１ａ）・（１１ｂ）で移動させられ、高・低移動ネジ軸（１１ａ）・（１１ｂ）は、ベッド本体（２）の短手方向中央に位置しベッド本体（２）の長手方向に架設され、高・低位ノズル（３）・（６）のそれぞれは、高・低ホース（１４）・（１５）で小・大ポンプ（９ｂ）・（９ａ）の各吐出口（１３）・（１３）に連結されてなり、高・低ホース（１４）・（１５）のそれぞれの中間部は、高・低移動ネジ軸（１１ａ）・（１１ｂ）の上方に位置し、
高・低移動ネジ軸（１１ａ）・（１１ｂ）は、高・低ホース（１４）・（１５）の垂れ下がりを阻止する機能を併せ持つことを特徴とする請求項１記載の二段式水圧マッサージ機。
【発明の詳細な説明】
【技術分野】
【０００１】
本発明は、マッサージを受けようとする臥姿勢の人（＝以下患者という）の頸部、体幹及び下肢を、噴射水圧によりマッサージする二段式水圧マッサージ機に関する。
【背景技術】
【０００２】
従来の技術には、水槽、シート、左右ノズル等からなるウォーターベッド式マッサージ機が開示されている。
【０００３】
従来の技術は、前記左右ノズルを臥した患者の身長方向（以下縦方向という）に向けて移動させながら左右対称に回動させ患者の肩幅方向（以下横方向という）に移動させることによってマッサージを行ない、患者の背中に存在する各種のツボを全体的に刺激することができる。
【特許文献１】特開２００３−２６０１０３号公報
【発明の開示】
【発明が解決しようとする課題】
【０００４】
解決しようとする課題は、従来の技術には、異なる二部位、例えば、上半身側の所定部位と下半身側の所定部位のマッサージを、患者毎の要求に適応した適宜異なるマッサージを行なう構成・作用は、開示されていない。
従って、身体の縦方向に離れた異なる二部位へ当該部位毎に個別に要求されるマッサージに対して、その要求に対応したマッサージを行なうという記載はなく、それぞれに好適なマッサージを施すものではなかった。
その為、異なる二部位が個別に要求するマッサージに対応した個別のマッサージを付与できるマッサージ装置を提供することが望まれていた。
【課題を解決するための手段】
【０００５】
本発明の目的は、上記課題を解決したものであり、患者の縦方向に離れた二部位へ個別に要求するマッサージに対して、これに応えた好適なマッサージをそれぞれの部位へ施すことができる水圧マッサージ機を提供することにある。
即ち本発明は、患者が乗って用いるウォーターベッド式の水圧マッサージ機（１）において、ベッド本体（２）内に、高位ノズル（３）が載設される高台車（４）と、低位ノズル（６）が載設される低台車（７）とが設けられ、高位ノズル（３）は低位ノズル（６）より高位に位置し、低台車（７）は高台車（４）の下部空間（５）を潜って該高台車（４）を通過でき、前記高・低台車（４）・（７）はベッド本体（２）の長手方向の全長に亘って移動できるものであり、前記高・低位ノズル（３）・（６）は、ベッド本体（２）に乗った患者の身長方向に存在する複数患部に異なる水圧マッサージを付与する二段式水圧マッサージ機である。
又、ベッド本体（２）に、該ベッド本体（２）に収容された水を取水し加圧する大・小ポンプ（９ａ）・（９ｂ）が設けられ、高位ノズル（３）には小ポンプ（９ｂ）が連通され、低位ノズル（６）には大ポンプ（９ａ）が連通され、高位ノズル（３）の噴出圧より低位ノズル（６）の噴出圧が大きい。
更に、高・低台車（４）・（７）のそれぞれは高・低移動ネジ軸（１１ａ）・（１１ｂ）で移動させられ、高・低移動ネジ軸（１１ａ）・（１１ｂ）は、ベッド本体（２）の短手方向中央に位置しベッド本体（２）の長手方向に架設され、高・低位ノズル（３）・（６）のそれぞれは、高・低ホース（１４）・（１５）で小・大ポンプ（９ｂ）・（９ａ）の各吐出口（１３）・（１３）に連結されてなり、高・低ホース（１４）・（１５）のそれぞれの中間部は、高・低移動ネジ軸（１１ａ）・（１１ｂ）の上方に位置し、高・低移動ネジ軸（１１ａ）・（１１ｂ）は、高・低ホース（１４）・（１５）の垂れ下がりを阻止する機能を併せ持つ。
【発明の効果】
【０００６】
本発明に係る前記高・低台車４・７のそれぞれに設けられる高・低位ノズル３・６は、ベッド本体２に乗った患者の複数患部に異なる水圧マッサージを付与するから、高・低ノズル３・６は、ベッド本体２の全長に亘って移動できるものであって、これらの高・低ノズル３・６は、患者の縦方向にある異なる二部位のそれぞれに異なる水圧マッサージを付与でき、前記二部位への個別の要求に対応して、好適なマッサージを施すことができ、好都合である。
【０００７】
本発明は、高位ノズル３には小ポンプ９ｂが連通され、低位ノズル６には大ポンプ９ａが連通され、高位ノズル３の噴出圧より低位ノズル６の噴出圧が大きいから、高・低位ノズル３・６のいずれであっても、良好なマッサージを患者に付与することが出来る。高位ノズル３であれば、膜１０に近いから、集束状の噴射水によるマッサージを付与することができ、低位ノズル６であれば、膜１０に遠いから、拡散状の噴射水によるマッサージを付与することができ、二つの噴射態様をもって二部位の個別の要望に応じたマッサージを付与でき、好都合である。
【０００８】
本発明に係る高・低位ノズル３・６のそれぞれは、高・低ホース１４・１５で小・大ポンプ９ｂ・９ａの各吐出口１３に連結されてなり、高・低ホース１４・１５のそれぞれの中間部は、高・低移動ネジ軸１１ａ・１１ｂの上方に位置し、高・低移動ネジ軸１１ａ・１１ｂは、高・低ホース１４・１５の垂れ下がりを阻止する機能を併せ持つ。
前記構成によれば、高・低ホース１４・１５がベッド本体２の全長に亘って移動する高・低台車４・７の移動の障害にならず、好都合である。
又、高・低台車４・７はそのいずれもがベッド本体２の全長に亘って移動でき、二つの患部の一方を、高・低位ノズル３・６のいずれか選択したノズルでマッサージできる。
例えば、二つの患部の内一方の部位を、高位ノズル３で集中的にマッサージすれば、他方の部位は低位ノズル６で広範囲に柔和にマッサージし、逆に、二つの患部の内一方の部位を低位ノズル６でマッサージすれば、他方の部位は高位ノズル３でマッサージし、所定部位を個々人の要望に応じて選択したノズルでマッサージでき、好都合である。
【発明を実施するための最良の形態】
【０００９】
身体の縦方向に離れた二部位が個別に要求するマッサージに対して、これに応じた好適なマッサージをそれぞれの部位へ施すことができる水圧マッサージ機１を提供する目的を、患者が臥して用いるウォーターベッド式の水圧マッサージ機１において、ベッド本体２内に、高位ノズル３が載設される高台車４と、高台車４の下部空間５を潜って移動でき低位ノズル６が載設される低台車７とが設けられ、前記高・低台車４・７はベッド本体２の全長に亘って移動できるものであり、前記高・低台車４・７のそれぞれに設けられる高・低位ノズル３・６は、ベッド本体２に乗った患者の縦方向にある二部位に異なる水圧マッサージを付与する二段式水圧マッサージ機１をもって、実現した。
【実施例１】
【００１０】
図１、２、３に本発明の実施例１を示している。
実施例１に示す水圧マッサージ機１は、水を満たす水槽２０と、水槽２０を擁するベッド本体２と、該水槽２０内にあって、水を噴射する高・低位ノズル３・６と、水槽２０内にあって、高・低位ノズル３・６を支持する刺激装置２６と、刺激装置２６を水槽２０の縦方向及び横方向に移動させる移動機構４７と、刺激装置２６に水槽２０の水を循環供給する循環機構２７と、水槽２０の上面の開口部２２を水密に覆う可撓な膜１０とからなる。
【００１１】
水槽２０はベッド本体２に設けられ、水を収容する平面視長方形の容器であり、上面は開口してなる開口部２２である。
【００１２】
ベッド本体２は、中央上部に水槽２０を擁する平面視長方形のものである。ベッド本体２の右側部に移動用モーター２８（高位移動用モーター２８ａ及び低位移動用モーター２８ｂ）、回動用モーター２９（高位回動用モーター２９ａ及び低位回動用モーター２９ｂ）が設けられる。ベッド本体２の下部には大・小ポンプ９ａ・９ｂが設置される。
ベッド本体２の形状は、平面視長方形に限定されるものではなく、平面視楕円形又は正方形又は適宜な任意な形状であってもよい。
【００１３】
前記膜１０は、伸縮材で製作され、開口部２２を覆って、水槽２０の全周縁に止着される。患者は膜１０上に臥し、マッサージを受ける。
【００１４】
刺激装置２６は、水槽２０の底壁２３に載置され水槽２０の縦方向に移動可能な高・低台車４・７と、高・低台車４・７の上部に設けられ回動可能な円盤２１と、円盤２１の上部に形成される高・低位ノズル３・６とからなる。
高台車４の円盤２１の上部には高位ノズル３が設けられ、低台車７の円盤２１の上部には低位ノズル６が設けられる。
【００１５】
高・低台車４・７の胴部には雌ネジ４８が設けられ、高・低台車４・７の側壁には取水口３０が設けられる。高・低台車４・７の下部には底壁２３を転動する車輪３１が設けられる。
低台車７は、高台車４の下部空間５を潜って該高台車４を通過でき、高・低台車４・７は水槽２０の長手方向の一方端から他方端までの全長に亘って移動できる。
【００１６】
高・低台車４・７には、それぞれ二個の円盤２１・２１が載設される。
円盤２１の外周には、歯車３２が形成される。
二つの円盤２１・２１を隣り合わせに並設し、両円盤２１・２１のそれぞれの歯車３２・３２を噛み合わせ両円盤２１・２１を連動させる。
【００１７】
ノズル４６は円盤２１の上部に開けられる孔であり、該ノズル４６は、円盤２１内の空洞３３に連通しており、前記空洞３３に充満する水を上方向へ噴射するものである。ノズル４６は、円盤２１の回動中心軸３４から離れた位置に開けられる。
【００１８】
ノズル４６は、円盤２１の肉厚部に形成されてなり水を集束状に噴射させるものである。
回動中心軸３４の内部は中空であり、回動中心軸３４の下部には取水口３０が連通され、回動中心軸３４の頂部には空洞３３が連通され、回動中心軸３４は取水口３０から得た水を円盤２１へ導いている。
【００１９】
高位ノズル３と膜１０の距離と、低位ノズル６と膜１０の距離とは異なる。高位ノズル３と膜１０との距離は小さいが故に膜１０に狭範囲に噴射水が当たり、患者に強い刺激を付与する。
低位ノズル６と膜１０との距離は大きいが故に膜１０に広範囲に噴射水が当たり、患者に柔軟な刺激を付与する。
前記高・低位ノズル３・６でベッド本体２上の患者の複数部位（一具体例では、肩と膝）にそれぞれに異なるマッサージを付与できるものである。
【００２０】
移動機構４７には、縦移動機構２５と回動機構２４とがある。縦移動機構２５は、水槽２０の縦方向に掛け渡され高・低台車４・７を縦方向に移動させる高・低移動ネジ軸１１ａ・１１ｂ（移動ネジ軸１１）と、ベッド本体２内に有って、前記移動ネジ軸１１を回動させ水槽２０の外側に設けられる移動用モーター２８（高・低移動用モーター２８ａ・２８ｂ）とからなる。
高・低移動ネジ軸１１ａ・１１ｂに、各高・低台車４・７に設けられた雌ネジ４８、４８がそれぞれ螺合する。
【００２１】
回動機構２４は、高・低位ノズル３・６を水平面に回動させることによって水槽２０の横方向に移動させるものである。
回動機構２４は、水槽２０の縦方向に掛け渡され円盤２１に接してこれを回動させる回動用軸１２（高・低回動用軸１２ａ・１２ｂ）と、ベッド本体２内に有って、前記回動用軸１２を回動させ水槽２０の外側に設けられる回動用モーター２９（高・低回動用モーター２９ａ・２９ｂ）とからなる。
【００２２】
回動用軸１２には、ウォームギア３５が摺動自在に外嵌されしかも当該軸１２と一体に回動する。
前記ウォームギア３５は円盤２１の外周に設けられた歯車３２に噛合される。
この噛合により回動用軸１２の回動力は円盤２１に伝動し、回動用軸１２が回動すると円盤２１が回動する。
【００２３】
循環機構２７は、水槽２０内の水を吸入し圧縮するポンプ９と、ポンプ９に係る配管８と、ポンプ９の加圧水を高・低位ノズル３・６へ導く高・低ホース１４・１５とからなる。
循環機構２７は、水槽２０内の水をポンプ９で取り込み、取り込んだ水を高・低位ノズル３・６へ付与し、高・低位ノズル３・６から上方へ噴射し、噴射した水を水槽２０へ戻し、このようにして水槽２０内の水を循環させるものである。
【００２４】
前記ポンプ９（大・小ポンプ９ａ・９ｂ）は、水槽２０内の水を、底壁２３に開設された底壁吸入口３６から配管８を介して吸入し、加圧するものである。
大・小ポンプ９ａ・９ｂの吐出口３７・３７に基端が取着された配管８・８の先端は、側壁・底壁出水口４５・３９に至る。
【００２５】
大ポンプ９ａが吐出する加圧水は低位ノズル６に連通され、小ポンプ９ｂが吐出する加圧水は高位ノズル３に連通される。
高位ノズル３に小ポンプ９ｂを繋ぎ、低位ノズル６に大ポンプ９ａを繋いで、低位ノズル６の水の噴出圧を高位ノズル３の水の噴出圧より大きくする。
低位ノズル６による噴射水の、膜１０への衝突速さを速め、患者への水圧刺激を強める。低位ノズル６によるマッサージ強さを強化することによって、高位ノズル３によるマッサージ強さと低位ノズル６によるマッサージ強さとの差を縮める。必要に応じて、高位ノズル３による水圧刺激と同等に高めて用いることもできる。
【００２６】
高ホース１４は、側壁出水口４５と高台車４の取水口３０の間に接続され、加圧水を高台車４へ導くものである。低ホース１５は、底壁出水口３９と低台車７の取水口３０の間に接続され、加圧水を高・低台車４・７へ導くものである。
高・低台車４・７の内部には加圧水を取水口３０から高・低位ノズル３・６へ導く流路４０が形成されている。
高・低ホース１４・１５のそれぞれの連繋中間部は、高・低移動ネジ軸１１ａ・１１ｂの上位置に配設される。
高・低移動ネジ軸１１ａ・１１ｂは、高・低ホース１４・１５の垂れ下がりを阻止する機能を併せ持っており、高・低ホース１４・１５が高・低台車４・７の移動の障害にならない様にする。
【００２７】
実施例１を使用する際は、先ず、水を、水槽２０に水位が膜１０に到達するまで注入し、水槽２０に満たす。
【００２８】
次に、患者は膜１０上に乗る。患者は膜１０の張力及び水槽２０内の水の浮力の作用で支持される。
【００２９】
続いて、ポンプ９を駆動させると、該ポンプ９は底壁吸入口３６から水槽２０内の水を吸入し、吸入した水を高・低位ノズル３・６から上方向へ噴射する。
高位ノズル３には小ポンプ９ｂが連通されており該高位ノズル３からは噴射圧の小さい噴射水が上方向へ噴射する。
低位ノズル６には大ポンプ９ａが連通されており該低位ノズル６からは噴射圧の大きい噴射水が上方向へ噴射する。高位ノズル３の噴出圧より低位ノズル６の噴出圧を大きくして、高・低位ノズル３・６で行なうそれぞれのマッサージ強さの格差を少なくしている。
膜１０は、伸縮性を有しているので、上方からの患者重力に押されて自在に変形し患者外形状によく添うと共に、膜１０の下方からの噴射水圧力に押されて自在に凸状に変形する。
【００３０】
膜１０に噴射水が衝突し該膜１０は上方に瞬時凸状変形し、膜１０を介して患者を押圧し刺激し、マッサージを行なう。
膜１０は、噴出水の衝撃に係るエネルギーの減衰を少なくして、当該エネルギーを患者に伝導する。
【００３１】
高・低台車４・７の縦移動と共に、高・低位ノズル３・６は縦移動する。又、円盤２１の回転と共に、高・低位ノズル３・６は回転する。高・低位ノズル３・６が回転するので該高・低位ノズル３・６は縦方向と横方向に移動できることとなる。
【００３２】
マッサージ態様を示すと、横方向に並んだ二つの円盤２１が回動すると高・低位ノズル３・６は水槽２０の横方向へ往復移動し、患部の横方向へ往復してマッサージを施す。
【００３３】
高・低台車４・７を縦方向に往復移動させると高・低位ノズル３・６は、高・低台車４・７と共にベッド本体２の縦方向に往復し、患部の縦方向へ往復してマッサージを施す。
高位ノズル３は、ベッド本体２の縦方向の全長に亘って移動する。
低位ノズル６も、高台車４を潜って該高台車４を通過し、ベッド本体２の縦方向の全長に亘って移動する。
【００３４】
高・低ホース１４・１５の下位に架設された高・低移動ネジ軸１１ａ・１１ｂは高・低ホース１４・１５の垂れ下がりを阻止し、高・低台車４・７が移動し易い様にしている。
尚、通常は、高・低ホース１４・１５は水中にあって宙に浮いた状態にあり、高・低ホース１４・１５が、高・低移動ネジ軸１１ａ・１１ｂに接触しても、周囲に充満する水により損傷することはない。
【００３５】
高台車４上の二つの円盤２１を回動させながら高台車４を縦方向に往復させ、更に、低台車７上の二つの円盤２１を回動させながら低台車７を縦方向に往復させると、高・低台車４・７の高・低位ノズル３・６は、ベッド本体２の横方向及び縦方向に往復しながら複数部位へマッサージを施す。
【００３６】
又、高・低台車４・７上の円盤２１の回動を停止し、高・低台車４・７の縦移動を止め、高・低位ノズル３・６を一定位置に停止させて、水圧マッサージを施すことも可能である。
【００３７】
上半身に有る部位を重視したマッサージを要望された場合、ベッド本体２の上半身載置側へ高位ノズル３を移動させ、該高位ノズル３を患者の上半身の頚部、肩、背中及び腰等の下方（＝患部より低位置であって、膜１０の裏部）に移動させ、該高位ノズル３で頚部、肩、背中及び腰等の部位に対して上方向噴射水をもって水圧マッサージを行なう。
一方、低位ノズル６をベッド本体２の下半身載置側へ移動させ、該低位ノズル６を患者の下半身の大腿、膝及び足等の下方（＝患部より低位置であって、膜１０の裏部）に移動させ、低位ノズル６で大腿、膝及び足等の部位に対して上方向噴射水をもって水圧マッサージを行なう。この様にして患者個々の要望に応えたマッサージを行なう。
前記高位ノズル３は、噴射水を膜１０を介して上半身の患部へ集中させて当て該患部に強い刺激を与え、低位ノズル６は、噴射水を膜１０を介して下半身の患部へ拡散させて付与し、該患部に柔らかい刺激を与える。
【００３８】
下半身にある部位を重視したマッサージを行なう場合、ベッド本体２の下半身載置側へ高位ノズル３を移動させ、該高位ノズル３を患者の下半身の大腿、膝及び足等の下方を移動し、大腿、膝及び足等の部位に対して上方向噴射水をもって水圧マッサージを付与する。
【００３９】
一方、ベッド本体２の上半身載置側に低位ノズル６を移動し、該低位ノズル６を患者の上半身の頚部、肩、背中及び腰等の下方を往復移動し、頚部、肩、背中及び腰等の部位に対して上方向噴射水をもって水圧マッサージを付与する。
前記高位ノズル３は、噴射水を膜１０を介して下半身の諸患部へ集中させて当て該患部に強い刺激を与え、低位ノズル６は、噴射水を膜１０を介して上半身の諸患部へ拡散させて付与し、該患部に柔らかい刺激を与える。
【実施例２】
【００４０】
図４、５に示す実施例２は、実施例１のネジ軸式の縦移動機構２５を、ベルト式のものに代えている。
【００４１】
実施例２では、水槽２０の手前の垂直状の側壁３８の左右部に垂直プーリー４１・４１を設ける。左右垂直プーリー４１・４１に垂直ベルト１６を掛け回し、垂直ベルト１６の一部を高台車４に止着する。
右部の垂直プーリー４１を垂直プーリー用モーター４３で回動させ、高台車４を左方向へ又は右方向（＝水槽２０の長手方向へ往復）へ移動させる。
【００４２】
低台車７は水槽２０の水平状の底壁２３の左右部に水平プーリー４２・４２を設け、左右の水平プーリー４２・４２に水平ベルト１７を掛け回し、水平ベルト１７の一部を低台車７に止着する。
右部の水平プーリー４４を水平プーリー用モーター３７で回動させ、低台車７を左方向へ又は右方向（＝水槽２０の長手方向へ往復）へ移動させる。
【００４３】
実施例２では、高・低ホース支持フレーム１８・１９が、高・低台車４・７の各貫通孔４４を移動自在に貫通して、水槽２０の長手方向に掛け渡して設けられる。
側壁・底壁出水口４５・３９から取水口３０・３０の間に繋がれた高・低ホース１４・１５は、水中にあって宙に浮いた状態にあり、高・低ホース支持フレーム１８・１９は、該高・低ホース１４・１５の下位に位置し、高・低ホース１４・１５連繋途中部の垂れ下がりを阻止する。
【００４４】
複数の患部の内、マッサージを重視する患部に、高位ノズル３が設けられた二つの円盤２１を集中的に移動させ、マッサージを重視しない患部に、低位ノズル６が設けられた二つの円盤２１を集中的に移動させる。
【産業上の利用可能性】
【００４５】
患者が臥して用いるウォーターベッド式の水圧マッサージ機１において、ベッド本体２内に、高位ノズル３が載設される高台車４と、高台車４の下部空間５を潜って該高台車４を通過でき低位ノズル６が載設される低台車７とが設けられ、前記高・低台車４・７はベッド本体２の全長に亘って移動できるものであり、前記高・低台車４・７のそれぞれに設けられる高・低位ノズル３・６は、ベッド本体２に乗った患者の縦方向に所定距離だけ離間した異なる二部位のそれぞれに異なる水圧マッサージを付与できるものに構成にして、前記二部位への個別の要求に対応して、それぞれの部位へ好適なマッサージを施すことができる二段式水圧マッサージ機１に適用できる。
【図面の簡単な説明】
【００４６】
【図１】本発明の実施例１の内部を透視した正面図である。
【図２】本発明の実施例１の内部を透視した右側面図である。
【図３】本発明の実施例１の平面図である。
【図４】本発明の実施例２の平面図である。
【図５】本発明の実施例２の内部を透視した右側面図である。
【符号の説明】
【００４７】
１  水圧マッサージ機
２  ベッド本体
３  高位ノズル
４  高台車
５  下部空間
６  低位ノズル
７  低台車
９  ポンプ
９ａ大ポンプ
９ｂ小ポンプ
１１  移動ネジ軸
１１ａ高移動ネジ軸
１１ｂ低移動ネジ軸
【図１】
2006247006.tif 000003
【図２】
2006247006.tif 000004
【図３】
2006247006.tif 000005
【図４】
2006247006.tif 000006
【図５】
2006247006.tif 000007